(57)【要約】【課題】  Ｏ脚部を固定して矯正力を与えるための手段として、Ｏ脚部を樋形矯正箱内で、Ｏ脚部の複数箇所に同時に同方向から矯正力を加えるという、従来の治療器具の不具合を解消し，矯正力を加えている間も不必要な痛みがなく、Ｏ脚部に対して適切な矯正治療が行える矯正器具を提供する。【解決手段】  一本の矯正支持棒１の両端に、足首部Ａと大腿部Ｂとを固定するための固定ベルト２，３を備え、これらの固定ベルトの間にＯ脚膝部Ｃを支持棒１から離れるように加圧する膝押しパッド８を設ける。【選択図】  図１
0003113853.tif 000002
【実用新案登録請求の範囲】
【請求項１】
患者の大腿部から足首部の外側面に沿って配置される長さをもった矯正力支持棒と、この支持棒の両端部に、該支持棒の長さ方向に沿って移動可能に設けられた足首部固定ベルト及び大腿部固定ベルトとを備え、これら両固定ベルト間には、支持棒の長さ方向と直交する向きにネジ棒が螺着され、このネジ棒の外端には調整ハンドル、内端には膝の外側面を内側方向へ加圧するための膝押しパッドとを備え、支持棒の大腿部固定ベルト取付け側端部には、横向きに配置した支持棒を大腿部側面の正しい高さ位置に配置しておくための高さ調整脚を備えているＯ脚矯正器具。
【請求項２】
支持棒の中央部に螺着されたネジ棒の内端に設けられる膝押しパッドが、膝の側面を広い範囲で加圧できるような大きさの金属製基板と、この基板に重ねられた、基板と同大のゴムなどの軟質性緩衝材と、この緩衝材の外側に設けられたとウレタンフォームのような衝撃吸収材の詰め物からなっている請求項１のＯ脚矯正器具。
【考案の詳細な説明】
【技術分野】
【０００１】
本考案は、Ｏ脚症の治療に使用して有効なＯ脚矯正器具の改良に関するものである。
【背景技術】
【０００２】
従来において、この種のＯ脚矯正器具としては、断面が樋形の矯正器における外側の支持壁に、間隔をおいて３個の矯正軸を設けて、樋形矯正器内に大腿部から足首部までの部位を嵌め込んだ状態で、３個の矯正軸によりそれぞれＯ脚部の外側面を樋形矯正器内へ固定させ、次いで、膝部の外側と接する中央部の矯正軸を、矯正器内方向へ押圧することで、膝部に内側方向への矯正力が与えるようにしたＯ脚矯正器具が知られている。
【０００３】
また、別の矯正器具としては、利用者が起立した状態で、頭部付近に配置されたバーハンドルを下方へ押し下げると、昇降操作杆が作動して、膝の両側に配置された膝部押圧板がＯ脚膝を内側へ押し込まれ、利用者が自己の力でＯ脚の治療を行えるようにした器具が知られている。
【０００４】
【特許文献１】登録実用新案第３０９８６９０号公報
【特許文献２】実開平０６−７５４２８号公報
【考案の開示】
【考案が解決しようとする課題】
【０００５】
特許文献１のＯ脚矯正器具は、器具自体の構成が簡単なので、使い易いという利点を有する反面、樋形の矯正器内に嵌め込んだＯ脚部を、３個の矯正軸によりそれぞれ外側方向から内側同方向へ押し付けて矯正器具内に固定してから、中央部の矯正軸で膝部を押圧することで、膝部を内側へ矯正するものであるため、樋形の矯正器内に嵌め込まれたＯ脚部は、いずれも３個の矯正軸によって、膝部だけでなく大腿部も足首部も、同時に同方向へ強く押し付けられることになり、３箇所に痛みを発生させることになるので、痛がって利用したがらないという問題を有している。
【０００６】
一方、特許文献２に示される、Ｏ脚矯正器具は、装置全体が大がかりになって、製造価格が高額になり、Ｏ脚の治療装置として適さないという問題の外、膝部に矯正圧を加えている間は、バーハンドルを下方へ押し下げて、昇降操作杆が作動している状態を継続させなければならないので、利用者が飽きて使用を止めてしまう、という問題を有している。
【課題を解決するための手段】
【０００７】
本考案は、従来におけるこの種のＯ脚矯正器具の問題点、例えば、特許文献２のような、価格が高額になる割には適切な治療効果が得られないという問題、また、特許文献１のような、Ｏ脚部を固定するための手段に対して、複数箇所を同時に同方向から固定することで、不必要な痛みを与えるという問題を生ずることがなく、膝部に矯正圧を加えている間も痛みを与えることなく、適切にＯ脚の矯正治療が行えるようにした矯正器具の提供を目的としたものである。
【０００８】
本考案のＯ脚矯正装置は、そのための具体的手段として、患者の大腿部から足首部の外側面に沿って配置される長さをもった矯正力支持棒と、この支持棒の両端部に、該支持棒の長さ方向に沿って移動可能に設けられた足首部固定ベルト及び大腿部固定ベルトとを備えている。
【０００９】
これら足首部固定ベルト及び大腿部固定ベルトの間の支持棒中央部には、支持棒の長さ方向と直交する向きにネジ棒が螺着され、このネジ棒の外端には調整ハンドル、内端には膝の外側面を内側方向へ加圧するための膝押しパッドが設けられている。
【００１０】
さらに、支持棒の大腿部固定ベルト取付け側端部には、治療に際して支持棒を横向きに配置した時に、支持棒の大腿部側の端部を、大腿部の外側面の正しい高さ位置へに配置しておくことができるようにするための高さ調整脚を備えていることを特徴とする。
【００１１】
支持棒の中央部に螺着されたネジ棒の内端に設けられる膝押しパッドは、膝の側面を広い範囲で加圧できるような大きさの金属製基板と、この基板に重ねられた、基板と同大のゴムなどの軟質性緩衝材と、この緩衝材の外側に設けられたとウレタンフォームのような衝撃吸収材の詰め物により構成することが好ましい。
【考案の効果】
【００１２】
この考案のＯ脚矯正装置では、患者の大腿部から足首部までのＯ脚部を、矯正力支持棒の側面に対して、膝部と矯正力支持棒との間に膝押しパッドが挟まれるように配置した状態で、大腿部と足首部とをいずれも固定ベルトにより矯正力支持棒側へ引っ張られるような方向へ固定し、一方、膝押しパッドだけで膝部を支持棒から離れるような方向へ矯正加圧するので、膝押しパッドにより膝部への矯正加圧を集中させることができ、治療を効果的に進めることができる。
【００１３】
治療に際して、支持棒は、患者のＯ脚部外側面に横向きに配置されて、大腿部と足首部とが固定ベルトによってＯ脚部に固定されるが、大腿部固定ベルトにより支持棒を固定する部分は、人によって太股の外径が異なり、太股の外径の大きい人の場合は、大腿部固定ベルトで支持棒を大腿部側面の正しい高さ位置へに取付けたとしても、時間の経過に伴って支持棒が自重により下方へずれ下がって、支持棒を大腿部側面の正しい高さ位置に配置できなくなるという問題がある。
【００１４】
このように、支持棒をＯ脚部分の側面の正確な高さ位置に支持できない状態で、支持棒中央部の膝押しパッドにより膝部に矯正圧を加えたとしても、膝部の正確な部位を膝押しパッドにより押したことにならないので、適切な治療が行われないことになる。
【００１５】
このような問題に対して、本考案の矯正器具では、支持棒の大腿部固定ベルト側の端部に、太股の外径に応じて支持棒の高さを調整できる高さ調整脚を設けたので、太股の外径の大きい人でも、小さい人でも支持棒を大腿部外側面の正しい高さ位置に配置することができ、適切な治療を行うことができる。
【考案を実施するための最良の形態】
【００１６】
支持棒の両端部に設けられる大腿部固定ベルト及び足首部固定ベルトは、支持棒の側面に設けられた長孔内に挿通されて、支持棒の長さ方向に沿って自由に摺動できるように取付けられているとともに、固定ベルトは、両端に設けた面ファスナーによりしっかりと緊縛でき、かつ、必要に応じて自由に解けるような構造とすることが好ましい。
【実施例】
【００１７】
次に、本考案に係るＯ脚矯正器具の構造を、図面に示す実施例について説明すると、この考案のＯ脚矯正器具は、実際の治療に際しては、同様な構造の左右一対の器具を組合せて使用するものであるが、構造の説明については、一個の器具の構造について説明する。
【００１８】
この矯正器具は、図３、図４に示すように、患者の足首部Ａから大腿部Ｂの外側面に沿って配置されるような長さをもった木製の矯正力支持棒１と、この支持棒１の両端部に、該支持棒１の長さ方向に沿って移動可能に設けられた足首部固定ベルト２及び大腿部固定ベルト３とを備えている。
【００１９】
図１に示すように、支持棒１の一端側面には、該支持棒１の長さ方向に沿って長孔４が設けられていて、この長孔４内に患者の足首部Ａを支持棒１に固定するための前記足首部固定ベルト２が挿通され、このベルト２が支持棒１の長さ方向に沿って自由に移動できるように設けられている。
【００２０】
また、支持棒１の他端の側面にも、同様に、支持棒１の長さ方向に沿って長孔４が設けられていて、この長孔４内に患者の大腿部Ｂを支持棒１に固定するための前記大腿部固定ベルト３が挿通され、このベルト３が支持棒１の長さ方向に沿って自由に移動できるように設けられている。
【００２１】
上記の足首部固定ベルト２及び大腿部固定ベルト３は、いずれも両端の重合面に面ファスナー５が設けられていて、ベルトの両端をそれぞれ足首部Ａ及び大腿部Ｂに巻きつけて面ファスナー５によりしっかりと緊縛し、かつ、必要に応じて自由に解けるような構造となっている。
【００２２】
また、前記足首部固定ベルト２及び大腿部固定ベルト３の間の支持棒中央部には、支持棒１の長さ方向と直交する向きにネジ棒６が螺着され、支持棒１を上方からみて、このネジ棒６の外端には調整ハンドル７、内端には膝Ｃの外側面を内側方向へ加圧するための膝押しパッド８が設けられている。
【００２３】
図２に示すように、支持棒１の中央部に螺着されるネジ棒６の内端に設けられる膝押しパッド８は、膝Ｃの側面を広い範囲で加圧できるような大きさの金属製基板９と、この基板９に重ねられた、基板９と同大のゴムなどの軟質性緩衝材１０と、この緩衝材１０の外側に設けられたとウレタンフォームのような衝撃吸収材の詰め物１１により構成されている。
【００２４】
さらに、図１及び図４に示すように、支持棒１の大腿部固定ベルト３側の端部には、患者の大腿部の外径に応じて支持棒１の高さ位置を調整できるように、支持棒１に対して、長孔１３とこの長孔１３内に挿通したボルト１４とによって取付けられた高さ調整脚１２が設けられている。
【００２５】
治療に際しては、図３及び図４に示すように、左右一対の支持棒１，１の内側に両足を配置して、膝Ｃの外側に膝押しパッド８を接触させた状態で、足首部Ａと大腿部Ｂとを、固定ベルト２，３によって支持棒１，１の方向へ引きつけられるように固定する。
【００２６】
その際、図４に示すように、患者の大腿部Ｂの太さに応じて、支持棒１の大腿部側端部の高さ位置を、高さ調整脚１２により調整して、膝押しパッド８が膝Ｃの外側部の正しい位置を押圧できるようにする。
【００２７】
膝部Ｃと支持棒１との間に膝押しパッド８が挟まれるように配置した状態で、大腿部Ｂと足首部Ａとを、いずれも固定ベルト２，３によって支持棒１の方向へ引きつけるように固定し、膝押しパッド８だけで膝部Ｃを支持棒１から離れるような方向へ矯正加圧するので、膝押しパッド８により膝部Ｃへの矯正加圧を集中させることができ、的確な治療効果を発揮することができる。
【産業上の利用可能性】
【００２８】
本考案に係るＯ脚来矯正器具は、一本の矯正支持棒１と、この支持棒１の両端に設けられる足首部固定ベルト２及び大腿部固定ベルトと、これらの固定ベルトの間に設けられる膝押しパッド８とにより構成されるので、構成、取扱、持ち運びなどが簡単で価格を安くすることができ、整体治療院において使用するだけでなく、各家庭で購入して手軽に使用することができる。
【図面の簡単な説明】
【００２９】
【図１】本考案に係る左右一対からなるＯ脚矯正器具のうち、一方の器具の構成を示斜視図。
【図２】膝押しパッドの断面図。
【図３】本考案のＯ脚矯正器具の使用方法を示す平面図。
【図４】本考案のＯ脚矯正器具の使用方法を示す側面図。
【符号の説明】
【００３０】
１：支持棒、
２：足首部固定ベルト、
３：大腿部固定ベルト、
４：長孔、
５：面ファスナー、
６：ネジ棒、
７：調整ハンドル、
８：膝押しパッド、
９：基板、
１０：軟質性緩衝材、
１１：詰め物、
１２：高さ調整脚、
１３：長孔、
１４：ボルト
【図１】
0003113853.tif 000003
【図２】
0003113853.tif 000004
【図３】
0003113853.tif 000005
【図４】
0003113853.tif 000006